(57)【要約】【課題】  水平又は傾斜した下階屋根と、上階壁面との接合部の防水施工を、確実、且つ、極めて容易にすることができ、しかも、製造コストの低い乾式防水部材を提供する。【解決手段】  可撓性を有するシートの上端部に合成樹脂シートを接合して構成され、建物の下階の屋根の棟部と前記棟部が当接する壁面との間を防水するために、前記棟部と前記壁面に設けられた外壁パネルの下端部との間に形成される開口から介挿される乾式防水部材であって、前記合成樹脂シートは、前記開口の鉛直方向の幅よりも広い幅を有し、前記合成樹脂シートの上端部を折り曲げ、前記開口の鉛直方向の幅よりも狭い折曲片を形成することができるように折れ筋を設けたことを特徴とする。【選択図】  図３
2006219845.tif 000002
【特許請求の範囲】
【請求項１】
可撓性を有するシートの上端部に合成樹脂シートを接合して構成され、建物の下階の屋根の棟部と前記棟部が当接する壁面との間を防水するために、前記棟部と前記壁面に設けられた外壁パネルの下端部との間に形成される開口から介挿される乾式防水部材であって、前記合成樹脂シートは、前記開口の鉛直方向の幅よりも広い幅を有し、前記合成樹脂シートの上端部を折り曲げ、前記開口の鉛直方向の幅よりも狭い折曲片を形成することができるように折れ筋を設けたことを特徴とする乾式防水部材。
【請求項２】
前記合成樹脂シートは、への字形状の帯状体として形成され、前記折れ筋として、前記への字状の外形に沿うようにして、への字状の折れ筋を設けたことを特徴とする請求項１に記載の乾式防水部材。
【請求項３】
前記への字状の合成樹脂シートの頂部から鉛直方向に折れ筋を設けたことを特徴とする請求項２に記載の乾式防水部材。
【請求項４】
前記への字状の折れ筋の頂部下方に、水平方向に折れ筋を設けたことを特徴とする請求項２又は３に記載の乾式防水部材。
【請求項５】
前記への字状の折れ筋の頂点から、前記への字状の合成樹脂シートの頂部の左右両側縁に向かって、上方に開拡するＶ字状の折れ筋を設けたことを特徴とする請求項４に記載の乾式防水部材。
【請求項６】
前記への字状の折れ筋の頂部左右両側から上方に向かって、下方に開拡する逆Ｖ字状の折れ筋を設けたことを特徴とする請求項２又は３に記載の乾式防水部材。
【請求項７】
前記水平方向の折れ筋又は前記逆Ｖ字状の折れ筋が、前記への字状の折れ筋と交わる点から合成樹脂シートの頂部左右両側縁に向かって開拡するように折れ筋を設けたことを特徴とする請求項４又は６に記載の乾式防水部材。
【発明の詳細な説明】
【技術分野】
【０００１】
本発明は、建築物の乾式防水部材に関し、詳細には、表面にパネルが設けられた壁面と、この壁面に対して突設する部位との間を防水するための乾式防水部材に関するものである。
【背景技術】
【０００２】
従来の工業化住宅では、柱、外壁パネル等を工場で個々に製作し、これを現場で組み立てるようにしている。
このような住宅では、建築物の水平又は傾斜した下階屋根と、上階壁面との接合部には、図９に示されるように、入隅Ａや出隅Ｂが形成される。前記上階壁面には、通常、外壁パネルが設けられており、前記接合部を防水するためには、下階屋根上面から上階壁面と外壁パネルへと連続する防水材を配置する必要がある。
上記防水材は、現場で外壁パネルを貼り付けた後に設けるようにしているため非常に作業性が悪かった。
【発明の開示】
【発明が解決しようとする課題】
【０００３】
そこで、本発明は、上記従来技術の問題点を解決するためのもので、水平又は傾斜した下階屋根と、上階壁面との接合部の防水施工を、確実、且つ、極めて容易にすることができ、しかも、製造コストの低い乾式防水部材を提供することを目的とする。
【課題を解決するための手段】
【０００４】
上記課題を解決するために、本発明者等は鋭意検討の結果、下記の通り解決手段を見出した。
即ち、本発明の乾式防水部材は、請求項１に記載の通り、可撓性を有するシートの上端部に合成樹脂シートを接合して構成され、建物の下階の屋根の棟部と前記棟部が当接する壁面との間を防水するために、前記棟部と前記壁面に設けられた外壁パネルの下端部との間に形成される開口から介挿される乾式防水部材であって、前記合成樹脂シートは、前記開口の鉛直方向の幅よりも広い幅を有し、前記合成樹脂シートの上端部を折り曲げ、前記開口の鉛直方向の幅よりも狭い折曲片を形成することができるように折れ筋を設けたことを特徴とする。
また、請求項２に記載の本発明は、請求項１に記載の乾式防水部材において、前記合成樹脂シートは、への字形状の帯状体として形成され、前記折れ筋として、前記への字状の外形に沿うようにして、への字状の折れ筋を設けたことを特徴とする。
また、請求項３に記載の本発明は、請求項２に記載の乾式防水部材において、前記への字状の合成樹脂シートの頂部から鉛直方向に折れ筋を設けたことを特徴とする。
また、請求項４に記載の本発明は、請求項２又は３に記載の乾式防水部材において、前記への字状の折れ筋の頂部下方に、水平方向に折れ筋を設けたことを特徴とする。
また、請求項５に記載の本発明は、請求項４に記載の乾式防水部材において、前記への字状の折れ筋の頂点から、前記への字状の合成樹脂シートの頂部の左右両側縁に向かって、上方に開拡するＶ字状の折れ筋を設けたことを特徴とする。
また、請求項６に記載の本発明は、請求項２又は３に記載の乾式防水部材において、前記への字状の折れ筋の頂部左右両側から上方に向かって、下方に開拡する逆Ｖ字状の折れ筋を設けたことを特徴とする。
また、請求項７に記載の本発明は、請求項４又は６に記載の乾式防水部材において、前記水平方向の折れ筋又は前記逆Ｖ字状の折れ筋が、前記への字状の折れ筋と交わる点から合成樹脂シートの頂部左右両側縁に向かって開拡するように折れ筋を設けたことを特徴とする。
【発明の効果】
【０００５】
本発明によれば、合成樹脂シートの上端部を折れ筋に沿って折り曲げることにより、形成される折曲片の鉛直方向の幅は、棟部と壁面に設けられた外壁パネルの下端部との間に形成される開口の鉛直方向の幅よりも狭くなるので、容易に挿入することができる。従って、折曲片に続く幅の広い合成樹脂シートの部分も、容易に挿入することができることになる。
また、合成樹脂シートをへの字形状の帯状体として形成し、折れ筋として、合成樹脂シートのへの字状の外形に沿うようにして、への字状の折れ筋を設けるようにすれば、への字状の開口に施工することができるようになる。
また、への字状の合成樹脂シートの頂部から鉛直方向に折れ筋を設けるようにすれば、施工時に合成樹脂シート頂部が座屈強度が高まり、外壁と外壁パネル間への介挿を容易にすることができる。
また、への字状の折れ筋の頂部下方に、水平方向に折れ筋を設けることにより、合成樹脂シートの頂部を鉛直に近い角度で折り曲げることが可能となり、外壁パネル下端部と棟部との間の隙間に介挿する作業を容易にすることができる。
また、への字状の折れ筋の頂点から、への字状の合成樹脂シートの頂部の左右両側縁に向かって、上方に開拡するＶ字状の折れ筋を設けることにより、合成樹脂シートの両側から力を加えた場合には、への字状の折れ筋の頂部において、Ｖ字状の折れ筋に囲まれた部位は、折れ筋により強化され、外壁パネル下端部と棟部との間の隙間に介挿作業を容易にすることができる。
への字状の折れ筋の頂部左右両側から上方に向かって、下方に開拡する逆Ｖ字状の折れ筋を設けることにより、逆Ｖ字の折れ筋からへの字状の折れ筋の頂部に平面が立設するようにして形成され、この平面の上端部から合成樹脂シートの頂部に向かって下降するように傾斜面が左右両側に形成され、この傾斜面が当接する稜線に沿って乾式防水部材を介挿するようにすれば、外壁と外壁パネルとの間への介挿作業を容易にすることができる。
また、水平方向の折れ筋又は逆Ｖ字状の折れ筋が、への字状の折れ筋と交わる点から合成樹脂シートの頂部左右両側縁に向かって開拡するように折れ筋を設けることにより、介挿時に合成樹脂シートの両側から力を加えた場合に、合成樹脂シートの頂部に凸上面を形成することができ、座屈を防ぐことができる。
また、合成樹脂シートの上端部を、外壁パネル側に折り返すことにより折り返し片を形成することにより、外壁パネルと外壁との間に前記折り返し片を引っ掛けることができ、水の浸入を防ぐと共に、乾式防水部材が外れることを防止することができる。
【発明を実施するための最良の形態】
【０００６】
次に、本発明の実施の形態について図面を参照して説明する。
図１は、本発明の乾式防水部材の適用部位を示す説明図である。図２は、図１の断面模式図である。図示されるように、棟部１は、外壁２に当接され、外壁２には所定の間隔を存して外壁パネル３が設けられている。
本発明の乾式防水部材は、図１で斜線で示される間隙、即ち、棟部１と外壁パネル３の下端部３ａとの間の間隙から介挿されるものである。
本発明の乾式部材２０は、図３に示されるように、ゴムシート４の上端部に、への字状のポリプロピレンシート５を貼着し、その外形状に沿うようにしてへの字状の折れ筋６が設けることにより構成されている。尚、図示されるゴムシート４は、ポリプロピレンシート５を展開状態で示すために折り畳まれた状態で表されている。
前記乾式防水部材２０は、施工の際に、ポリプロピレンシート５の両端部から折れ筋６が谷折りされるようにして把持する。この時、ポリプロピレンシート５の上側部分となる折曲片５ａは、図４に示すように手前側に折れ曲がり、棟部１と外壁パネル３の下端部３ａとの間の開口部の上下方向の幅よりも狭くなり、容易に介挿することができる。尚、介挿した後の乾式防水部材２０を図５に示す。
尚、本実施の形態では、折れ筋６としてへの字状のものを設けるようにしているが、ポリプロピレンシート５の上下方向の幅を、前記開口部の上下方向の幅よりも狭くすることができるものであれば特に制限されるものではない。また、本発明において、への字状の頂部は、角張った形状やアールを設けた形状も含まれることとする。
【０００７】
次に、本発明の他の実施の形態について説明する。
図６に示される乾式防水部材２０は、図３で説明した乾式防水部材２０のへの字状の折れ筋６の頂部６ｄの下方に水平方向の折れ筋７を設け、また、への字状に形成されたポリプロピレンシートの頂部５ｄから鉛直方向に折れ筋８を設けるようにしたものである。
上記構成の乾式防水部材２０のポリプロピレンシート６の両端部から折れ筋６が谷折りされるように把持すると、への字状の折れ筋６とその頂部６ｄ下方に設けられた水平方向の折れ筋７により面が形成され、この面に対して鉛直に近い角度で折曲片５ａが折れ曲がるため、開口の頂部と折曲片５ａの頂部とを合わせやすくなり、介挿作業がしやすくなる。
【０００８】
次に、本発明の他の実施の形態について説明する。
図７に示される乾式防水部材２０は、図３で説明した乾式防水部材２０において、への字状の折れ筋６の上方から、前記への字状の折れ筋の頂部６ｄ両側に交わるように、下側開拡するＶ字状の折れ筋９，９を設けるようにしている。また、この交点からへの字状のポリプロピレンシートの頂部５ｄの両側縁に向かって開拡するように折れ筋１０，１０が設けられている。また、ポリプロピレンシートの頂部５ｄから鉛直方向（ポリプロピレンシート５の幅方向）に折れ筋８を設けるようにしている。
上記構成により、ポリプロピレンシート６の両端部から力を加えると、同図（ｂ）に示されるように、折れ筋９，９が山折りされて、への字状の折れ筋の頂部６ｄには立設面９ａ，９ａが形成される。また、折れ筋１０，１０において谷折りされることにより、同図（ｃ）に示されるように、ポリプロピレンシートの頂部６ｄには、立設面９ａ，９ａ側から頂部６ｄ側に向かって下降する傾斜面１０ａ，１０ａが形成されることになる。
上記の状態で、図１及び図２で示される外壁パネルの下端部３ａと棟部１との間の開口に折曲片５ａから挿入すれば、乾式防水部材２０は介挿しやすくなる。また、傾斜面１０ａ，１０ａの当接する稜線に沿って滑らせるようにしてポリプロピレンシート５を介挿するようにすれば介挿作業がし易くなる。
【０００９】
次に、本発明の他の実施の形態について説明する。
図８に示される乾式防水部材２０は、図７で説明した乾式防水部材２０において、逆Ｖ字状の折れ筋９，９の頂点からポリプロピレンシートの頂部５ｄ近傍の左右両側の端縁に向かって開拡するＶ字状の折れ筋１１，１１を設けたものである。尚、本実施の形態では、折れ筋１０，１０は、ポリプロピレンシート５の一方の端部から他方の端部まで設けられている。
上記構成とすることにより、ポリプロピレンシート６の両端部から力を加えて把持すると、折れ筋１０，１０は谷折りされて鉛直方向に形成された折れ筋８に向かって上昇する傾斜部を形成する。そして、同図（ｃ）に示すように、への字状の折れ筋６は、その頂部６ｄにおいて谷折りされ、逆Ｖ字状の折れ筋９が山折りされて、への字状の折れ筋の頂部６ｄにおいて、これらの折れ筋９，９，６（６ｄ）で囲まれる面が立設することになる。そして、この立設部の頂部からへの字状のポリプロピレンシート６の先端に下降する傾斜部が形成される。この傾斜部を、外壁パネル３の下端部３ａに滑らせるようにしてポリプロピレンシート５を介挿するようにすれば介挿作業がし易くなる。
尚、上記したポリプロピレンシートの上端部を、外壁パネル側に所定の幅で折り返して折り返し片を設けるようにすれば、壁面と外壁パネルとの間への水の浸入を折り返し片により防ぐことができ、しかも、折り返し片により乾式防水部材を係止することができる。この折り返し片の折り返し幅については特に制限はないが、例えば１０ｍｍ程度とすることができる。
【００１０】
また、前記折り筋を形成するには、例えば、回転ローラの表面に形成される溝部とこの溝部に刃先を没入させた回転刃とにより形成される間隙にポリプロピレンシートの折り筋形成部を連続的に通過させることにより得られる。
【００１１】
前記ポリプロピレンシートにゴムシートを貼着するには、防水性に優れたブチル系粘着剤を用いて接合することが好ましい。
【００１２】
上記実施の形態では、合成樹脂シートとしてポリプロピレンシートを使用したが、合成樹脂シートであれば特に制限されるものではない。また、施工性を高めるために透明性を有する合成樹脂シートを使用することが好ましい。尚、合成樹脂シートとして、ポリプロピレンシートを使用する場合には、例えば、５０モル％以上のプロピレン単位成分を有する結晶性混合物を配向させることなく無延伸状態で均一な厚みにシート化したものを使用することが好ましい。また、合成樹脂シートは、厚みを０．３〜３．０ｍｍ程度にすることが好ましい。
【００１３】
また、上記実施の形態では、可撓性を有するシートとしてゴムシートを使用したが、必ずしもこれに限定されるものでなく、例えば、塩化ビニルシート等も使用することができる。
尚、可撓性を有するシートとしてゴムシートを使用する場合は、エチレン・プロピレンゴム（ＥＰＤＭ）とブチルゴムのブレンドゴムを使用することが好ましく、これにより防水シートとして必要な優れた平滑性を備えたゴムシートが得られる。また、このゴムシートに、ゴム糊を引き布に含浸させて裏打ちして、ゴムシートと一体化することが好ましい。引き布も防水性が与えられ、防水性の高い乾式防水部材となるからである。また、更に、引き布にゴム糊が含浸されているため、引き布自体に接着性が付与され、施工部位への貼着作業が容易となる。また、前記引き布をポリエステル製の織布にすると、耐熱性に有効であり、１００℃に１０００時間養生しても寸法変化のないものとなる。
【図面の簡単な説明】
【００１４】
【図１】本発明の乾式防水部材の適用部位を説明するための説明図
【図２】同断面模式図
【図３】本発明の乾式防水部材の一実施の形態を示す平面図
【図４】同施工状態における変形状態を示す模式断面図
【図５】同実施の形態の施工後の状態を示す説明図
【図６】本発明の乾式防水部材の他の実施の形態を示す平面図
【図７】（ａ）本発明の乾式防水部材の他の実施の形態を示す平面図（ｂ）及び（ｃ）は施工状態を示す説明図
【図８】（ａ）本発明の乾式防水部材の他の実施の形態を示す平面図（ｂ）及び（ｃ）は施工状態を示す説明図
【図９】建物の入隅部及び出隅部の説明図
【符号の説明】
【００１５】
１    棟部
２    外壁
３    外壁パネル
４    ゴムシート
５    ポリプロピレンシート
５ａ  折曲片（上側部分）
５ｂ  下側部分
５ｃ  糊代
６    折れ筋（への字状）
６ｄ  折れ筋の頂部
７    水平方向の折れ筋
８    鉛直方向の折れ筋折れ筋
９    Ｖ字状の折れ筋
１０    折れ筋
１１    Ｖ字状の折れ筋
【図１】
2006219845.tif 000003
【図２】
2006219845.tif 000004
【図３】
2006219845.tif 000005
【図４】
2006219845.tif 000006
【図５】
2006219845.tif 000007
【図６】
2006219845.tif 000008
【図７】
2006219845.tif 000009
【図８】
2006219845.tif 000010
【図９】
2006219845.tif 000011